(57)【要約】【課題】屋外空気調和装置は、屋外で使用するため、特に吹出し口部材の汚れが課題であった。【解決手段】屋外空気調和装置１００は、圧縮機１と、熱源側熱交換器６と、第１ファン７と、利用側熱交換器３と、第２ファン４と、これらを収容しているケーシング１０と、吹出し口部材３０と、を有している。吹出し口部材３０は、利用側熱交換器３を通過した空気を吹出す吹出し口３１ａ〜３１ｄを形成する。吹出し口部材３０は、ケーシング１０に着脱自在に装着されている。【選択図】図４
2020003181.tif 000002
【特許請求の範囲】
【請求項１】
屋外で使用される空気調和装置（１００）であって、
圧縮機（１）と、
熱源側熱交換器（６）と、
前記熱源側熱交換器に空気を通すための第１ファン（７）と、
利用側熱交換器（３）と、
前記利用側熱交換器に空気を通すための第２ファン（４）と、
前記圧縮機、前記熱源側熱交換器、前記第１ファン、前記利用側熱交換器、および、前記第２ファンを収容するケーシング（１０）と、
前記利用側熱交換器を通過した空気を吹出す吹出し口（３１ａ〜３１ｄ）を形成する部材であって、前記ケーシングに着脱自在に装着されている吹出し口部材（３０）と、
を備えた屋外空気調和装置。
【請求項２】
前記吹出し口部材は、風向を変更するフラップ（４０１、４０２）を有する、
請求項１に記載の屋外空気調和装置。
【請求項３】
前記吹出し口部材は、さらに、フラップユニット（４０）を有し、
前記フラップユニットは、前記フラップを有する、
請求項２に記載の屋外空気調和装置。
【請求項４】
前記吹出し口部材は、さらに、
前記ケーシングに装着されるパネル（３００）を有し、
前記パネルは、１のパネルに、複数の前記フラップユニットを配置する開口（３０１）が形成されている、
請求項３に記載の屋外空気調和装置。
【請求項５】
前記フラップユニットの一つは、複数のフラップを有している、
請求項３または４に記載の屋外空気調和装置。
【請求項６】
前記フラップは、風向を上下、および／または、左右に変更可能である、
請求項５に記載の屋外空気調和装置。
【請求項７】
前記吹出し口部材は、耐候性材料で構成されている、または、耐候性を向上させる表面処理が施されている、
請求項１〜６のいずれか１項に記載の屋外空気調和装置。
【請求項８】
前記ケーシングは、２以上の方向に面した１または複数の側面（２０ａ〜２０ｄ）を有し、
前記吹出し口部材は、複数であり、異なる方向に面した側面に装着されている、
請求項１〜７のいずれか１項に記載の屋外空気調和装置。
【請求項９】
前記屋外空気調和装置は、冷房運転、または、暖房運転を切り換えて運転可能である、
請求項１〜８のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００２−２２８１８６号公報）に開示されている一体型空気調和装置は、屋外への排気が難しいような窓の無い部屋で利用する空気調和装置である。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置は、屋外に設置する都合上、一般に相当、汚れやすくなると予想できる。汚れのため、場合によっては、ユーザーに不快感を与えてしまうことも起こりうる。そこで、屋外空気調和装置には、従来の室内空気調和装置にはなかった清掃の容易さが求められる。
【課題を解決するための手段】
【０００４】
第１観点の屋外空気調和装置は、屋外で使用される空気調和装置である。空気調和装置は、圧縮機と、熱源側熱交換器と、第１ファンと、利用側熱交換器と、第２ファンと、ケーシングと、吹出し口部材とを備えている。第１ファンは、熱源側熱交換器に空気を通すためのものである。第２ファンは、利用側熱交換器に空気を通すためのものである。ケーシングは、圧縮機と、熱源側熱交換器と、第１ファンと、利用側熱交換器と、第２ファンとを、収容している。吹出し口部材は、利用側熱交換器を通過した空気を吹出す吹出し口を形成している。吹出し口部材は、ケーシングに着脱自在に装着されている。
【０００５】
なお、ケーシングに装着されているとは、ケーシングに直接装着されている場合だけでなく、他の部品を介して間接的にケーシングに装着されている場合を含む。また、本明細書において、着脱自在であるとは、ケーシングなど他の部品を取り外さずに、対象の部品（または対象の部品を含むユニット）のみを単独で取り外すことが可能であることを意味する。
【０００６】
なお、ケーシングは、支柱と、底板と、天板と、を有していることが好ましい。
【０００７】
第１観点の屋外空気調和装置は、吹出し口部材が着脱自在に配置されているため、吹出し口部材を取り外して清掃することができる。
【０００８】
第２観点の屋外空気調和装置は、第１観点の屋外空気調和装置であって、吹出し口部材は、風向を変更するフラップを有する。
【０００９】
第２観点の屋外空気調和装置は、吹出される空気に接触し、汚れやすいと考えられるフラップまたはフラップを含む部品を着脱自在とすることにより、清掃を容易とするものである。
【００１０】
第３観点の屋外空気調和装置は、第２観点の屋外空気調和装置であって、吹出し口部材は、さらに、フラップユニットを有する。フラップユニットは、フラップを有する。
【００１１】
第３観点の屋外空気調和装置は、フラップユニットごと着脱自在であり、清掃を容易とするものである。
【００１２】
第４観点の屋外空気調和装置は、第３観点の屋外空気調和装置であって、吹出し口部材は、さらに、ケーシングに装着されるパネルを有する。１のパネルには、複数のフラップユニットを配置する開口が形成されている。
【００１３】
第４観点の屋外空気調和装置は、１のパネルに複数のフラップユニットが装着されているため、一度に、複数のフラップユニットを脱着することができる。
【００１４】
第５観点の屋外空気調和装置は、第３観点または第４観点の屋外空気調和装置であって、フラップユニットの一つは、複数のフラップを有している。
【００１５】
第５観点の屋外空気調和装置は、１のフラップユニットが複数のフラップを有しているため、風向の調整が円滑に行える。
【００１６】
第６観点の屋外空気調和装置は、第５観点の屋外空気調和装置であって、フラップは、風向を上下、および／または、左右に変更可能である。
【００１７】
第６観点の屋外空気調和装置は、上下にフラップの風向を変更することにより、装置からの風の到達距離を調整できる。また、左右にフラップの風向を変更することにより、装置からの風の吹出し方向を変更できる。
請求項５に記載の屋外空気調和装置。
【００１８】
第７観点の屋外空気調和装置は、第１観点〜第６観点のいずれかの屋外空気調和装置であって、吹出し口部材は、耐候性材料で構成されている、または、耐候性を向上させる表面処理が施されている。
【００１９】
第７観点の屋外空気調和装置は、屋外使用時にも吹出し口部材が損傷しにくく、屋外の使用に適している。
【００２０】
第８観点の屋外空気調和装置は、第１観点〜第７観点のいずれかの屋外空気調和装置であって、ケーシングは、２以上の方向に面した１または複数の側面を有している。吹出し口部材は、複数であり、異なる方向に面した側面に装着されている。
【００２１】
第８観点の屋外空気調和装置は、複数の方向に向けて吹出し口部材を配置することにより、広い範囲の冷房、または、暖房が可能である。
【００２２】
第９観点の屋外空気調和装置は、第１観点〜第８観点のいずれかの屋外空気調和装置であって、冷房運転、または、暖房運転を切り換えて運転可能である。
【００２３】
第９観点の屋外空気調和装置は、冷房運転、または、暖房運転を切り換えて運転可能であるため、長いシーズンの間利用可能である。
【図面の簡単な説明】
【００２４】
【図１】第１実施形態の屋外空気調和装置１００の冷媒回路を示す図。
【図２】第１実施形態の屋外空気調和装置１００の外観斜視図。
【図３Ａ】第１実施形態の屋外空気調和装置１００の内部の構成を示す斜視図。
【図３Ｂ】第１実施形態の屋外空気調和装置１００の内部の構成を示す縦断面図。
【図４】第１実施形態の吹出し口３１ｂ、３１ｃ付近を示す斜視図。
【図５】第１実施形態のパネル３００の図。
【図６】第１実施形態のフラップユニット４０の図。
【図７】第１実施形態の枠体２５を示す図。
【発明を実施するための形態】
【００２５】
＜第１実施形態＞
（１）屋外空気調和装置１００の冷媒回路の構成
第１実施形態の屋外空気調和装置１００の冷媒回路を図１に、外観の斜視図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２６】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００２７】
本実施形態の屋外空気調和装置１００は、図１に示すような冷媒回路全体を一つのケーシングの中に含む、空気調和装置である。屋外空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。屋外空気調和装置１００は、さらに、利用側熱交換器３、熱源側熱交換器６にそれぞれ空気を送る第２ファン４、第１ファン７を備えている。つまり、本実施形態の利用側熱交換器３、熱源側熱交換器６は、ともに、冷媒と空気で熱交換を行う熱交換器である。
【００２８】
冷房、除湿の場合は、利用側熱交換器３、熱源側熱交換器６は、それぞれ冷凍サイクルの蒸発器、凝縮器として機能する。暖房の場合は、利用側熱交換器、熱源側熱交換器は、それぞれ凝縮器、蒸発器として機能する。冷房と暖房は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００２９】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂである。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３０】
（２）屋外空気調和装置１００の各機器の配置
屋外空気調和装置１００の外観の斜視図を図２に、化粧板、一部の支柱等を取り除いて、主な内部の構成を表示した斜視図、縦断面図を図３Ａ、３Ｂに、吹出し口３１ｂ、３１ｃ付近の斜視図を図４に示す。
【００３１】
本実施形態の空気調和装置１００では、ケーシング１０の中に、圧縮機１、熱源側熱交換器６、利用側熱交換器３、第１ファン７、第２ファン４が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。
【００３２】
ケーシング１０の外側の４側面２０ａ〜２０ｄには、上下に、化粧板２０１、２０２が取り付けられている。化粧板２０１、２０２はそれぞれメッシュ状に多数の孔が形成されており、孔を通じて空気が流通可能になっている。
【００３３】
ケーシング１０の内部には、上から順に、第１ファン７、熱源側熱交換器６、第２ファン４、利用側熱交換３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８、ドレン水を集めるためのタンク（図示せず）も配置されている。
【００３４】
底板１２のさらに下には、４つのキャスターが取り付けられている。したがって、屋外空気調和装置１００は、移動可能である。
【００３５】
第１ファン７は、プロペラファンである。ターボファン、シロッコファンであってもよい。天板１３の中央部に吹出し口２９が開けられており、第１ファン７は、天板の中央部の吹出し口２９から上方に空気を排出できるように取り付けられている。図示されていないが天板１３の中央部の吹出し口２９にはさらにメッシュ状の板が配置されている。
【００３６】
熱源側熱交換器６は、冷媒を流通させる冷媒配管と、冷媒と空気との熱交換を推進する金属製フィンを含んでいる。熱源側熱交換器６は、ケーシング１０の４側面２０ａ〜２０ｄの全ての面に配置されている。冷媒は、すべての面を通過させる必要は無い。たとえば、２側面２０ａ〜２０ｄごとに２つに分離して、冷媒を分配して流通させてもよい。また。必ずしも４つの面全てに熱源側熱交換器６を配置しなくてもよい。３つの面、２つの面、１つの面だけに配置してもよい。
【００３７】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００３８】
利用側熱交換器３は、冷媒を空気と熱交換させながら流通させる冷媒配管と、冷媒と空気との熱交換を促進する金属製フィンとを含んでいる。利用側熱交換器３は、ケーシング１０の４側面２０ａ〜２０ｄの全ての面に配置されている。冷媒は、すべての面を通過させる必要は無い。たとえば、２側面２０ａ〜２０ｄごとに２つに分離して、冷媒を分配して流通させてもよい。また。必ずしも４つの側面２０ａ〜２０ｄ全てに利用側熱交換器３を配置しなくてもよい。３つの面、２つの面、１つの面だけに配置してもよい。
【００３９】
（３）屋外空気調和装置１００における空気を流す構成と、空気の流れの説明
（３−１）利用側熱交換器３側の空気の流れ
図面を参照して、利用側熱交換器３側の空気の流れを詳細に説明する。図３Ａ、３Ｂには、本実施形態の屋外空気調和装置１００における、主な空気の流れを矢印に示してあり、図４は吹出し口３１ｂ、３１ｃ付近の構成を示し、図６はフラップ４０１、４０２を示す図である。
【００４０】
第２ファン４が運転されると、空気は、屋外空気調和装置１００の外部、４側面２０ａ〜２０ｄの利用側熱交換器３の前面から、化粧板２０２を介して、中間板１６、１７の間の空間に取り込まれる。空気は、利用側熱交換器３を通過し、利用側熱交換器３において、冷媒と熱交換を行う。冷媒によって加熱または冷却された空気は、第２ファン４を通過し、中間板１５、１６の間の空間から、４側面２０ａ〜２０ｄに設けられた吹出し口３１ａ〜３１ｄから外の空間に、横方向に吹出される。ここで横方向とは、水平方向±３０°で定義する。本実施形態の屋外空気調和装置１００は、第２フラップ４０２を有しており、水平方向±３０°より広い角度で風向を変更することができる。吹出し口３１ａ〜３１ｄは、ケーシング１０に形成された穴である。吹出し口３１ａ〜３１ｄには、フラップ４０１、４０２が配置されている。フラップ４０１、４０２は、風向を上下、左右に変更することができる。ある方向だけ、全閉にし、特定の数の特定の方向だけ、空気の吹出しを封止することもできる。
【００４１】
（３−２）利用側熱交換器３側の吹出し口３１ａ〜３１ｄの周囲の詳細構成
（３−２−１）吹出し口部３０の全体構成
図面を参照して、実施形態１の吹出し口３１ａ〜３１ｄ付近の構成について、さらに詳しく説明する。第１実施形態の屋外空気調和装置１００について、図４は吹出し口３１ａ、３１ｄ付近の構成を示し、図５はパネル３００、図６はフラップユニット４０、図７は枠体２５を示す図である。
【００４２】
利用側熱交換器３を通過した空気の吹出し口３１ａ〜３１ｄは、中間板１５、１６の間を取り囲む４側面２０ａ〜２０ｄに形成されている。吹出し口３１ａ〜３１ｄは、ケーシング１０に形成された穴そのままでも利用できる。本実施形態では、吹出し口３１ａ〜３１ｄには、枠体２５および吹出し口部材３０が配置されている。
【００４３】
吹出し口部材３０は、パネル３００、フラップユニット４０を有している。吹出し口部材３０は、表面に耐候性処理が施されている。ここで、耐候性処理とは、材料自体が耐候性材料で構成されている場合を含む。耐候性処理は、枠体２５と、パネル３００、フラップユニット４０全てに施されていてもよいし、一部の部材に施されていてもよい。風が通過するフラップユニット４０は特に必要性が高い。本実施形態においては、フラップユニット４０のみに、耐候性処理が施されている。耐候性材料としては例えばアクリロニトリルスチレン重合体などであるが、これに限定されない。
【００４４】
（３−２−２）枠体２５の構成
枠体２５は、金属板である。枠体２５は、支柱１１ａ〜１１ｄに取り付けられている。枠体２５は、４側面２０ａ〜２０ｄに対応して、４つの孔を形成している。枠体２５は、図７に示すように、２つの穴を形成する第１部品２５ａと、第２部品２５ｂとを有する。枠体２５の孔には、それぞれ、パネル３００が取り付けられている。なお、本実施形態の枠体２５は、上述したように２つの部品に分かれているため、支柱１１ａ〜１１ｄのいずれか１本を取り外すことにより、比較的容易に着脱可能である。これによって、メンテナンスが容易になる。しかし、これは、上述した本明細書の着脱自在の定義においては、着脱自在ではない。
【００４５】
（３−２−３）パネル３００の構成
パネル３００は、樹脂製である。パネル３００は、枠体２５にねじ止めされている。ねじを外すことによって、パネル３００を、枠体２５またはケーシング１０から取り外すことができる。つまり、パネル３００は、ケーシング１０から着脱自在である。
【００４６】
上述したように、本実施形態では、パネル３００は、枠体２５にねじ止めされている。パネル３００は、枠体２５に、着脱自在であれば、他の方法で取り付けられていてもよい。たとえば、爪止めされていてもよい。ただし、パネル３００は吹出し口３１ａ〜３１ｄに配置されているため、大きな風圧がかかる。したがって、着脱自在ではあっても、風圧で容易に外れにくい方法で取り付けられている必要がある。ねじ止めは、風圧に対する強度の点で優れている。
【００４７】
パネル３００は、枠体２５より取り外して清掃可能である。そのため、比較的軽い素材で形成されているのが好ましい。本実施形態では、パネル３００は樹脂製である。
【００４８】
図５に示すように、一つのパネル３００には、４つの開口３０１が形成されている。開口３０１には、それぞれ、フラップユニット４０が取り付けられている。
【００４９】
（３−２−４）フラップユニット４０の構成
フラップユニット４０の側部には、爪が設けられている（図示せず）。フラップユニット４０の爪を、パネル３００の開口３０１にはめ込むことにより、フラップユニット４０は、パネル３００に取り付けられる。フラップユニット４０の爪を押し込むことにより、パネル３００より取り外すこともできる。つまり、フラップユニット４０は、パネル３００より着脱自在である。フラップユニット４０をパネル３００より取り外して、さらに十分な清掃を行うことができる。
【００５０】
フラップユニット４０は、第１フラップ４０１、第２フラップ４０２、風向調整つまみ４０３を有している。空気は、フラップユニット４０のフラップ４０１、４０２の間の隙間、または、フラップ４０１、４０２と、フラップの周りの枠の間の隙間から空気が吹出される。フラップユニット４０は樹脂製である。金属製であってもよい。第１フラップ４０１は、第２フラップ４０２よりも外側に配置されている。第１フラップ４０１は、水平方向の空気の吹出し方向を変更することができる。第２フラップ４０２は、鉛直方向の空気の吹出し方向を変更することができる。なお、本実施形態においては、同一のフラップユニット４０に属する複数の第１フラップ４０１は、同一の方向を向くように設計されている。第２フラップ４０２も同様である。風向調整つまみ４０３を上下に動かすことにより、第２フラップ４０２の傾きを変更し、風向きを上下に変更することができる。風向調整つまみ４０３を左右に動かすことにより、第１フラップ４０１の傾きを変更し、風向きを左右に変更することができる。風向調整つまみ４０３を動かすことにより、吹出し口を塞ぐこともできる。本実施形態は、４側面２０ａ〜２０ｄにそれぞれ４つのフラップユニット４０が配置されている。各フラップユニット４０は、独立に風向調整つまみを動かすことにより、風向きを調整、封鎖することができる。
【００５１】
フラップ４０１、４０２の向きは、本実施形態のように、手動で制御されてもよいし、自動制御されていてもよい。自動制御の例としては、ある側面２０ａ〜２０ｄから吹出される風向を時間に合わせて、変更してもよい。あるいは、ユーザーの一つの操作で、ある側面２０ａ〜２０ｄからの吹出し口からの吹出しを封止してもよい。
【００５２】
以上は、パネル３００が枠体２５に着脱自在であり、かつ、フラップユニット４０がパネル３００より着脱自在である場合である。これに限られずパネル３００は、固定的に枠体２５に取り付けられているが、フラップユニット４０は着脱自在にパネル３００に取り付けられていてもよい。いずれの場合も、フラップユニット４０は、結局、ケーシングより着脱自在であって、取り外して、清掃できる。
【００５３】
（３−３）熱源側熱交換器６側の空気の流れ
第１ファン７が運転されると、空気は、屋外空気調和装置１００の外部の、熱源側熱交換器６が配置されている前面から、化粧板２０１を経由して、中間板１４、１５の間の空間に、取り込まれる。つまり、外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、屋外空気調和装置１００の内部で第１ファン７、天板１３の中央の吹出し口２９を通過して、屋外空気調和装置１００の外の上部に、上向きに吹出される。
【００５４】
（４）特徴
（４−１）
本実施形態の屋外空気調和装置１００は、一つのケーシング１０の中に、圧縮機１、熱源側熱交換器６、利用側熱交換器３、第１ファン７、第２ファン４を備えている。そうして、本実施形態の屋外空気調和装置１００には、利用側熱交換器３を通過した空気を吹出す吹出し口３１ａ〜３１ｄが形成されている。このような屋外空気調和装置１００を屋外に設置することによって、屋外の広いエリアの冷房、または暖房が可能である。
【００５５】
吹出し口３１ａ〜３１ｄを形成するのは、吹出し口部材３０である。屋外空気調和装置１００は屋外に設置され、利用されるために、吹出し口部材３０は相当に汚れやすい。吹出し口部材３０が汚れていると、付着物によっては吹出し口部材３０を腐食するかもしれないし、付着物が吹き飛ばされると、付着物がユーザーに到達するかもわからないし、においが出る可能性もある。
【００５６】
そこで、本実施形態の屋外空気調和装置１００は、吹出し口部材３０が着脱自在に構成されている。吹出し口部材３０が着脱自在であるため、清掃が容易である。吹出し口部材３０を屋外空気調和装置１００から取り外し、洗うこともできる。
【００５７】
（４−２）
また、本実施形態の屋外空気調和装置１００においては、吹出し口部材３０は、風向を変更するフラップ４０１、４０２を有する。フラップ４０１、４０２は、吹出される空気に接触する部分であり、特に汚れやすいし、フラップに汚れが付着すると、ユーザーの方に飛散される恐れもある。フラップまたはフラップを含む部品を着脱自在とすることにより、清掃を容易とするものである。
【００５８】
（４−３）
また、本実施形態の屋外空気調和装置１００においては、吹出し口部材３０は、さらに、フラップユニット４０を有する。フラップユニット４０は、フラップ４０１、４０２を有する。本実施形態の屋外空気調和装置は、フラップユニット４０ごと着脱自在であり、清掃を容易とするものである。
【００５９】
（４−４）
本実施形態の屋外空気調和装置１００においては、吹出し口部材３０は、さらに、ケーシング１０に装着されるパネル３００を有する。１のパネル３００には、複数のフラップユニット４０を配置する開口３０１が形成されている。本実施形態の屋外空気調和装置は、１のパネル３００に複数のフラップユニット４０が装着されているため、一度に、複数のフラップユニット４０を脱着することができる。また、複数のフラップユニット４０ごとに、別々に風の向きを制御するなど、細かい空調制御が可能である。
【００６０】
（４−５）
本実施形態の屋外空気調和装置においては、１のフラップユニット４０は、複数のフラップ４０１、４０２を有している。
【００６１】
第５観点の屋外空気調和装置は、１のフラップユニット４０が複数のフラップ４０１、４０２を有しているため、風向の調整が円滑に行える。
【００６２】
（４−６）
本実施形態の屋外空気調和装置においては、フラップは、風向を上下、および／または、左右に変更可能である。
【００６３】
本実施形態の屋外空気調和装置は、上下にフラップの風向を変更することにより、装置からの風の到達距離を調整できる。また、暖房と冷房でそれぞれ、風の向きを変更することもできる。
【００６４】
また、左右にフラップ４０１、４０２の風向を変更することにより、装置からの風の吹出し方向を変更できる。
【００６５】
（４−７）
本実施形態の屋外空気調和装置においては、吹出し口部材は、耐候性材料で構成されている、または、耐候性を向上させる表面処理が施されている。
【００６６】
本実施形態の屋外空気調和装置は、屋外使用を想定している。特に海辺など、潮風によって、腐食等の損傷を受ける可能性がある。本実施形態の屋外空気調和装置は、吹出し部材の耐候性が優れているので、屋外の使用に適している。
【００６７】
（４−８）
本実施形態の屋外空気調和装置１００においては、ケーシング１０は、複数の側面２０ａ〜２０ｄを有している。吹出し口部材３０は、複数の側面２０ａ〜２０ｄに装着されている。
【００６８】
本実施形態の屋外空気調和装置１００は、複数の側面２０ａ〜２０ｄに吹出し口部材３０を配置することにより、広い範囲の冷房、または、暖房が可能である。
【００６９】
（５）変形例
（５−１）変形例１Ａ
第１実施形態においては、ケーシング１０の４側面２０ａ〜２０ｄ全てに吹出し口３１ａ〜３１ｄが形成されている。変形例１Ａの屋外空気調和装置では、一つの側面には、吹出し口が形成されていない。その他は第１実施形態と同様である。屋外といっても、特定の方向には、冷房または暖房を行う必要が無い場合も当然起こりうる。その場合に、一面に吹出し口を設けないようにすれば、より効率よく多方面に冷房、または暖房を行うことができる。また、２側面に吹出し口を設けない構成としてもよい。また、一面を塞ぐために、パネル３００の開口３０１が全く無いものを用いてもよい。図５に示す開口３０１を有するパネル３００を、孔の無いパネルに付け替えることにより、随時、一側面の吹出し口３１ａ〜３１ｄを封止して用いてもよい。
【００７０】
（５−２）変形例１Ｂ
第１実施形態の屋外空気調和装置１００は、直方体状の形状を有している。変形例１Ｂの屋外空気調和装置１００は、円筒状の形状を有している。その他は基本的に第１実施形態と同様である。すなわち、屋外空気調和装置１００の上面視がほぼ円形である。この場合、屋外空気調和装置１００の側面は、一つの曲面である。吹出し口は、上面視で別の方向に２以上形成されている。実質的に連続的にほぼ円の全周にわたって吹出し口が形成されていてもよい。屋外空気調和装置１００の上面視が楕円形であってもよい。
【００７１】
（５−３）変形例１Ｃ
第１実施形態の屋外空気調和装置１００においては、利用側熱交換器３はケーシング１０の４面に配置されている。変形例１Ｃの屋外空気調和装置１００においては、ケーシング１０の３側面のみに、利用側熱交換器３は配置されている。また、利用側熱交換器３の吹出し口と、その吸込み口と、熱源側熱交換器６と、その吸込み口は、同一の３側面のみに形成または配置されている。その他は第１実施形態と同様である。
【００７２】
変形例１Ｃの屋外空気調和装置１００は、このような構成にすることにより、コストを削減できる。また、屋外であっても、たとえば、壁際に空気調和装置を配置する場合に熱交換器に無駄な構成が無い。
【００７３】
変形例１Ｃの屋外空気調和装置１００は、３側面に形成する場合であるが、２側面であっても同様である。また、変形例１Ｃは、利用側熱交換器３と、その吹出し口と、その吸込み口と、熱源側熱交換器６と、その吸込み口とが、同一の３側面のみに配置または形成されている場合について説明したが、揃って、３側面に構成されていなくてもよい。たとえば、利用側熱交換器３だけを３側面にすれば、その分、コストを削減することができる。
【００７４】
（５−４）変形例１Ｄ
第１実施形態においては、枠体２５がケーシング１０に取り付けられ、パネル３００が枠体２５に取り付けられている。変形例１Ｄでは、屋外空気調和装置１００は、枠体２５は有していない。パネル３００は、直接、ケーシング１０に着脱自在に、取り付けられている。その他の構成は、第１実施形態と同様である。フラップユニット４０は、パネル３００に着脱自在に取り付けられている。フラップユニット４０は、パネル３００に固定的に取り付けられていてもよい。変形例１Ｄの場合も、パネル３００を取り外して、掃除を容易に行うことができる。一方で、構成は第１実施形態よりも簡便である。
【００７５】
（５−５）変形例１Ｅ
第１実施形態においては、吹出し口部材３０は、パネル３００、フラップユニット４０を有していた。変形例１Ｅでは、吹出し口部材３０は、フラップユニット４０を有し、パネル３００は有していない。フラップユニット４０は、枠体２５に着脱自在に、取り付けられている。その他の構成は、第１実施形態と同様である。変形例１Ｅの場合、フラップユニット４０を取り外して、掃除を容易に行うことができる。
【００７６】
（５−６）変形例１Ｆ
第１実施形態においては、吹出し口部材３０は、パネル３００、フラップユニット４０を有していた。変形例１Ｆでは、吹出し口部材３０は、パネル３００を有し、フラップユニット４０は有していない。ただし、吹出し口部材３０は、フラップを有している。パネル３００は、枠体２５に着脱自在に取り付けられている。フラップはパネル３００に取り付けられている。その他の構成は、第１実施形態と同様である。変形例１Ｆの場合、パネル３００を取り外して、掃除を容易に行うことができる。一方で、構成は第１実施形態よりも簡便である。
【００７７】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７８】
１００          屋外空気調和装置
１              圧縮機
２              四方切換弁
３              利用側熱交換器
４              第２ファン
５              膨張弁
６              熱源側熱交換器
７              第１ファン
８              アキュムレーター
１０            ケーシング
１１ａ〜１１ｄ  支柱
１２            底板
１３            天板
１４〜１７      中間板
２０ａ〜２０ｄ  側面
２０１、２０２  化粧板
２５            枠体
３０            吹出し口部材
３００          パネル
３１ａ〜３１ｄ  吹出し口
４０            フラップユニット
４０１、４０２  フラップ
【先行技術文献】
【特許文献】
【００７９】
【特許文献１】特開２００２−２２８１８６号公報
【図１】
2020003181.tif 000003
【図２】
2020003181.tif 000004
【図３Ａ】
2020003181.tif 000005
【図３Ｂ】
2020003181.tif 000006
【図４】
2020003181.tif 000007
【図５】
2020003181.tif 000008
【図６】
2020003181.tif 000009
【図７】
2020003181.tif 000010